Podtech/llm-jp-corpus-v4-ja_patent huggingface dataset:
(57)【要約】【課題】パソコン購入時、半額補填することで購入者が気軽に最新性能パソコンが購入でき、パソコン購入者と当業者が契約を結ぶことで不用になったパソコンを買い取ることも可能なパソコン購入支援のビジネスモデルを提供する。【解決手段】高額な高性能パソコンも気軽に購入出来るようになります。メモリの増設も一緒に行なうことも出来るようになります。当業者が１年以上経過後の半額補填パソコンを月単位で買取契約するので不用になれば当業者が買い取ることもでき、当業者は買い取ったパソコンをインターネットで再販売することにより、パソコンの購入支援ビジネスモデルが出来ます。【特許請求の範囲】
【請求項１】
購入金額の半額補填をすることによりパソコン初心者にも、パソコン上級者も、最新型のパソコンが気軽に購入出来ることになります。
また、当業者が１年以上経過後の半額補填パソコンを月単位で買取契約をしますので、契約終了と同時に契約者買取をするか、当業者が買い取るかを選択でき、当業者は買い取ったパソコンをインターネットで再販売することによりパソコンの購入支援ビジネスモデルが出来ます。
【発明の詳細な説明】
【技術分野】
【０００１】本発明は、パソコン購入者が販売店より半額でパソコン購入出来るパソコン購入支援ビジネスモデルに関する。
【背景技術】
【０００２】パソコンは販売店舗や販売形態によって、似たような性能のパソコンでも販売金額に違いがあり、パソコンソフトによっては高性能が要求されるソフトも少なくありません。
その結果、パソコン本体のＣＰＵ処理速度が早い物にメモリを増設すると、購入金額が高くなります。あまりパソコンを利用しない人にとっては、高性能パソコンは無駄と解釈する購入者もおり、購買意欲に水を差していました。
代金精算は、パソコン購入時の一括精算のみであり、一時的に負担を軽減するためには、クレジットを組むか、カード支払をするしかありませんでした。また、使用年数が経過したものは価値も下がり売却が困難な場合がありました。
【発明の開示】
【発明が解決しようとする課題】
【０００３】パソコン購入時の購入代金を当業者が半額補填することにより、購入者も気軽に最新性能のパソコンを半額で購入出来るようになります。また、パソコン購入者と当業者が契約を結ぶことで契約終了後、パソコンを購入者が引き続き買いとって使用するか、当業者が買い取ることも可能となりパソコン販売が一層促進することが出来るようになります。
【課題を解決するための手段】
【０００４】購入金額が高く、高性能パソコンが、半額補填によりパソコンが購入出来ることになります。また、当業者が１年以上経過後の半額補填パソコンを月単位で買取契約をしますので、契約終了と同時に契約者買取をするか、当業者が買い取るかを選択でき、当業者は買い取ったパソコンをインターネットで再販売することにより、パソコンの購入支援ビジネスモデルが出来ます。
【発明の効果】
【０００５】高性能化されたパソコンを低機能パソコンの価格で購入出来るので、ＭＯやメモリを余分に購入できたり、ｊａｖａやｃ、ｃ＃、．ＮＥＴ  ＶＢを駆使して自作でソフトを作る場合でも、高性能パソコンが購入出来るため、無理なく作業が出来ます。
３ヶ月に一度のパソコン市場の性能変更に耐えうるためには、１年もしくは２年で買い替えをせざる得なかったが、当発明で容易に買い替えが行なえるようになります。
【発明を実施するための最良の形態】
【０００６】パソコン販売店にて、パソコン購入者が購入予定のパソコンについて、１年以上使用予定であるものについて契約を行ない、当業者の契約担当者が購入金額の半額を補填する。
パソコン購入者はパソコン購入後、契約期日満了日までは自由にパソコンを使用出来るものとする。契約期日満了日の１ヶ月前に契約者買取をするか、当業者が買い取るかを選択してもらい契約者買取の場合は規程とおりに購入してもらう。
当業者が買い取る場合は、買取規程のとおり購入し、買い取ったパソコンはインターネットのオンラインで再販売をおこなう。
(57)【要約】【課題】  手で持ちながら入力可能となる装置を示す。【解決手段】  擬似的に５本の指に１個のボタンが存在するような構成とし、ただ手の大きさによって装置が変わることがないよう、たくさんの圧力センサを配置し、ソフトウエア的にどの指に入力があったかを判断する。【選択図】  図３
2005128826.tif 000002
【特許請求の範囲】
【請求項１】
親指用の入力用装置がノート型パソコン及び携帯型情報処理装置の前面にあり、他の４本指用の入力用装置が裏面にあり、親指用は前面にある為、他とは分離しているが、他の４本指用の入力装置は、裏面全体あるいは裏面の指が届く範囲全体にあり、各指で分離しておらず、前面の親指用も含め、入力部全体に押している圧力の大きさを検知できるセンサがたくさん配置されており、ソフトウエアで圧力の大きさの変化と位置を検知して、各指の入力を判断することを特徴とするコンピュータの入力装置。
【発明の詳細な説明】
【技術分野】
【０００１】
本発明は、コンピュータの入力装置に関するもので、現在主流になっているものはキーボードである。
【背景技術】
【０００２】
現在、コンピュータの入力装置としては、キーボードが主に使用されている。
【発明の開示】
【発明が解決しようとする課題】
【０００３】
広く普及した従来のキーボードでは、手で装置全体を持ちながら入力することが不可能である。また５本指の各指に１個のボタンを割り当て、組み合わせによって入力する文字を区別する入力装置の場合、手の大きさによってボタンの位置を調整しなくてはならず、いろいろなサイズの装置を造らなくてはならなくなる。
【０００４】
本発明は、手で持ちながらの入力を可能とし、またいろいろなサイズの入力装置を造ることなく一種類の装置で、いろいろな手の大きさに対応することを目的としている。
【課題を解決するための手段】
【０００５】
上記目的を達成するために、請求項１に係る発明では、基本的に５本指に対応する５個のボタンがあるように見せかけることで、手で握りながらの入力を可能としている。そして、各指のボタンの位置を固定してしまうと、手の大きさによっていろいろなサイズのものを造らなくてはいけなくなるため、親指を除く４本の指用には、裏面全体あるいは指が届くと思われる範囲全体に押している圧力の大きさを検出できるセンサを埋め込み、圧力がかかっている位置関係から、どの指の入力であるかをソフトウエア的に検出し、このセンサの値の変化で入力があるかないかをこれもまたソフトウエア的に検出する。また親指も同じ機構を使うことを特徴とする入力装置としている。
【発明の効果】
【０００６】
本発明は、以上説明したように構成されているので、以下に記載されるような効果を奏する。
【０００７】
握ったままでの入力が可能となる装置となり、また手の大きさによっていろいろなサイズのものを造らなくてよくなる。
【０００８】
本発明の装置により、パソコンが情報を伝達する用途での紙の代わりとなることが期待され、紙の保管スペース、印字コストの削減、なにより紙資源の節約が出来る。
【発明を実施するための最良の形態】
【０００９】
発明の実施の形態を図面を参照して説明する。
図１は、入力装置の前面の例を示している。ここには、装置左右に親指用の入力装置がついている。図２、３は、入力装置の裏面の例を示している。ここでは、親指以外の各指の入力部が分かれて存在しているのではなく、一体となっている。圧力のかかっている位置関係で、どの指の入力か判断し、圧力の大きさの変化で入力の有無を判断している。
【図面の簡単な説明】
【００１０】
【図１】入力装置の前面を示した。
【図２】入力装置の裏面を示した。これは、裏面全体にたくさんの圧力センサが埋め込まれているものである。
【図３】入力装置の裏面を示した。これは、裏面の指が届くと思われる範囲にたくさんの圧力センサが埋め込まれているものである。
【図１】
2005128826.tif 000003
【図２】
2005128826.tif 000004
【図３】
2005128826.tif 000005
(57)【要約】【課題】  エレキギター用ピックアップは、周波数特性を調整する機能がなく、所望の音質を得るためにはピックアップ自体を交換しなければならない。【解決手段】  高透磁率を有する素材から形成し、磁化させたボビン１０１の周囲にコイル１０２を巻回し、コイル１０２と直列に周波数特性を調整するための抵抗体１０３を接続することにより、コイル１０２のＱを調整することができ、ピックアップの持つ周波数特性を変化させて音質を変化させることができる。【選択図】図１
2005128109.tif 000002
【特許請求の範囲】
【請求項１】
電磁誘導により弦の振動を電気信号に変換する手段を備えたエレキギター用ピックアップにおいて、前記電気信号の周波数特性を調整する手段を備えていることを特徴とするエレキギター用ピックアップ
【請求項２】
請求項１に記載のエレキギター用ピックアップにおいて、前記周波数特性を調整する手段が抵抗体であることを特徴とするエレキギター用ピックアップ。
【請求項３】
請求項１又は２に記載のエレキギター用ピックアップにおいて、高透磁率材料からなるボビンにコイルが巻回されていることを特徴とするエレキギター用ピックアップ。
【発明の詳細な説明】
【技術分野】
【０００１】
この発明は、エレキギター用ピックアップに関する。
【背景技術】
【０００２】
エレキギターのピックアップは、電磁誘導の原理を用いて、弦の振動を電気信号に変換する。
【０００３】
従来の一般的なピックアップは、図２に示すように、金属棒または金属板などのポールピース２０１を磁化させ、樹脂など非磁性体で形成したボビン２０２に挿入固定し、ボビン２０２の周囲にコイル２０３を巻いて構成している。
【特許文献１】実開平０５−０８１８９９号公報
【０００４】
このピックアップのポールピース２０１により作られる磁束をギターの弦の振動で乱したとき、電磁誘導の効果によりコイル２０３に電流が流れ、コイル２０３の持つインダクタンスにより電圧として現れる。このときの電圧Ｖは、Ｖ＝Ｌ・ｄｉ／ｄｔ、で表せることが知られている。
【発明の開示】
【発明が解決しようとする課題】
【０００５】
ところで、ピックアップから出力する電圧はピックアップのコイルを通じているので、ピックアップと周囲の電気的特性が音質に影響する。すなわち、ピックアップの等価的電気回路は、図３に示すように、電圧源３０１、コイル（Ｌ）３０２、内部抵抗（Ｒ）３０３、周辺コンデンサ（Ｃ）３０４から構成され、この接続から得られる電気特性は、ローパスフィルター特性である。この回路の特性は、１／（ω２ＬＣ＋ωＣＲ＋１）で表わされることが知られている。
【０００６】
上記回路の特性で周波数特性に影響のある項目は、カットオフ周波数とＱである。このうちのカットオフ周波数に影響するファクタは、ＬとＣの積である。また、Ｑに影響するファクタは、ＣとＲの積である。
【０００７】
この場合、カットオフ周波数を調整するためには、ピックアップに対し並列にＣを接続することで比較的容易に実現することが可能であるが、Ｃは同時にＱに影響を与えるファクタでもあるので、ピックアップに対し並列にＣを接続することでＱにも影響を与えてしまうという課題が生じる。
【０００８】
また、Ｃを付加して調整するのでは、Ｑを下げることはできても上げることができないという課題もある。
【０００９】
そのため、上述した従来のピックアップにあっては、周波数特性に影響を与えるＱの調整を行うには、ポールピースの材質と寸法のどちらかまたは両方を変更し、かつコイルの巻き数とコイルを巻く線材の太さのどちらかまたは両方を変える他は無く、完成したピックアップの調整を行おうとした場合、いずれにしても容易に行うことができず、ある一定以上のＱとなる様なピックアップの周波数特性が必要となったときには、ピックアップ自体を交換しなければならないという課題がある。
【００１０】
本発明は、上記の課題に鑑みてなされたものであり、音質を容易に調整できるギター用ピックアップを提供することを目的とする。
【課題を解決するための手段】
【００１１】
本発明に係るエレキギター用ピックアップは、電磁誘導により得られた電気信号の周波数特性を調整する手段を備えたものである。
【００１２】
ここで、周波数特性を調整する手段は抵抗体であることが好ましく、また、高透磁率材料からなるボビンにコイルが巻回されていることが好ましい。
【発明の効果】
【００１３】
本発明に係るエレキギター用ピックアップよれば、電磁誘導により得られた電気信号の周波数特性を調整する手段を備えたので、容易に音質を調整することができる。
【発明を実施するための最良の形態】
【００１４】
以下、本発明の実施形態について添付図面をも参照して説明する。図１は本発明に係るエレキギター用ピックアップの一例を示す説明図である。
このエレキギター用ピックアップは、鉄などの高透磁率を有する素材から形成し、磁化させたボビン１０１の周囲にコイル１０２を巻回して弦の振動を電気信号に変換する手段を構成し、コイル１０２と直列に周波数特性を調整する手段である周波数特性調整用の抵抗体１０３を接続している。なお、抵抗体１０３としては、固定抵抗又は可変抵抗を用いることができる。
【００１５】
このように、コイル１０２と直列に抵抗体１０３を接続することによって、前述したように周波数特性に影響のあるコイル１０２のＱを調整することができるので、ピックアップの持つ周波数特性を変化させて、音質を変化させることができる。この場合、コイル１０２と直列に抵抗体１０３を接続するだけであるので、音質を容易に変化させることができる。
【００１６】
この場合、ピックアップのコイル部分は、Ｑが高いものの方が周波数特性の調整範囲が広がるので、弦の振動を電気信号に変換する手段を構成するボビン１０１を高透磁率素材で形成することによって、少ない巻き数で大きなインダクタンスを得られ、Ｑの高いコイル１０２を形成することができ、周波数特性調整用の抵抗体１０３で広範囲にＱを調整することができるようになる。
【００１７】
また、コイル１０２と直列に接続する周波数特性調整用の抵抗体１０３を可変抵抗とすることによって、容易に抵抗値を変化させて、ユーザーが自由に周波数特性を調整することができるようになる。この場合、エレキギターの調整回路に周波数特性調整用の可変抵抗を備えるようにすることもできる。
【図面の簡単な説明】
【００１８】
【図１】本発明の一実施形態の説明に供する説明図である。
【図２】従来のピックアップの説明に供する説明図である。
【図３】ピックアップの等価電気回路を説明する回路図である。
【符号の説明】
【００１９】
１０１：ボビン
１０２：コイル
１０３：周波数特性調整用の抵抗体
３０１：電圧源
３０２：コイル
３０３：内部抵抗
３０４：周辺コンデンサ
【図１】
2005128109.tif 000003
【図２】
2005128109.tif 000004
【図３】
2005128109.tif 000005
(57)【要約】【課題】  楽譜の読めない演奏者であっても、使用音と指使いを容易に理解できるような、記譜方式の分かりやすい楽譜が望まれる。【解決手段】  音の高さの基準を示す五線の代わりに鍵盤の絵を用い、音符の代わりに、音の位置と長さを同時に示すグラフを用いることで、楽譜の読めない演奏者であっても、配置されたグラフの位置関係から、打鍵の位置や、音の長さを容易に把握し、演奏を開始できることを目的としている。【選択図】  図１
2005128461.tif 000002
【特許請求の範囲】
【請求項１】
鍵盤に正対した平面図を表示し、平面図下部の音符の情報に相当するグラフ部において、縦軸の長さが音を保持する長さを示し、横軸の位置が、音の絶対的な高さを示す、楽譜に代わる表現形式。
【請求項２】
請求項１に記載のグラフにおいて、右手パートと左手パートを区別するため、右手と左手、それぞれ別な色で表示することを特徴とした表現形式。
【請求項３】
請求項１に記載のグラフを補助し、指使いと階名を連動させることに特化した、指使い、階名表示フォーム。
【発明の詳細な説明】
【技術分野】
【０００１】  本発明は、五線譜を読めない初心者を対象とした、演奏用楽譜、または、練習用楽譜の表現形式である。
【背景技術】
【０００２】  従来の楽譜は、五線譜に音符を並べる形式である。演奏者は、五線上に記述された音符や記号、文字などを見ながら楽曲を理解し、正確に演奏することができるが、譜面上の音譜が鍵盤のどの位置を示しているのか、初心者には音符の意味が分かりづらく、習得に多大な努力を要するという欠点を持つ。
【発明の開示】
【発明が解決しようとする課題】
【０００３】  従来の楽譜は、譜面上の音譜が鍵盤のどの位置を示しているのか分かりづらいため、演奏者が譜面を読めるようになるまでに、長い訓練が必要だった。そのため初心者にとっては、楽譜を読めないことが楽器習得の壁になっていた。
【課題を解決するための手段】
【０００４】  本発明は、五線譜に置かれた音符の代わりに音符一つ一つを、使う音の高さ、長さを元にグラフ化する。また、指使いも階名と共に記し、五線譜を読めない鍵盤楽器の初心者でも容易に理解できるようにする。
【発明の効果】
【０００５】グラフ化された表、指使いの表を見ることで、楽譜が読めない初心者も、容易に正しい音程、リズム、指使いを学ぶことができる。
【発明を実施するための最良の形態】
【０００６】鍵盤の絵を基準に楽譜代わりに音符をグラフ化する。
【図１】
は鍵盤に対し、縦方向に伸びるグラフが音の長さを表す。また、横軸の絶対的な位置は、鍵盤のキーの高さを表す。この位置関係は、鍵盤の絵と連動しているため、楽譜を読めない初心者においても、ピアノの前に座るだけで、打鍵すべきキーの位置、および長さを容易に知ることができる。
【０００７】
【図１】
左右欄外の表は、対応する指使いの表である。両手とも、親指から小指の指使いを対応する階名と共に示しており、従来のように指番号を覚えることなく、どの音をどの指で弾けばよいかも、容易に理解することができる。
【０００８】
【図１】
欄外「１−１」等の数字は、１小節目の一拍目を意味する。本図では、「１−２」の次が「２−１」であることから、この曲は２拍子の曲であることが理解できる。
【０００９】
【図１】
鍵盤中のＣ４等の文字は、アメリカの慣例に従った表記方法であり、ピアノの８８鍵で一番低いラの音をＡ０としている。この音名（Ｃ，Ｄ，Ｅ，Ｆ，Ｇ，Ａ，Ｂ）と、高さを表す数字の組合せにより、絶対的な音程を表している。
【実施例１】
【００１０】  以上説明したように、本発明は、演奏用楽譜の音の高さの基準を示す五線の代わりにグラフを用いることで、打鍵の位置や、音の長さを視覚的に分かり易く表現している。また、指使いに関しても、階名とともに表現し、容易に判別できる表現方式を取っている。これにより、たとえ楽譜が読めない初心者であっても、従来のように楽譜を読めないからとピアノを諦めることなく、挑戦することができるようになる。
【実施例２】
【００１１】  音を視覚化して表示する形式であることから、鍵盤上の曲の流れや曲の難易度などを、一目で見て取れることを目的としている。
【図面の簡単な説明】
【図１】本発明の演奏用楽譜図である。
【図２】図１における右手部分、指使い、階名表の拡大図である。
【図３】従来の楽譜による、同曲の表現である。
【符号の説明】
１．鍵盤部に対し、縦に伸びるグラフの線が、音の長さを表す。
横軸の相対的な位置は、上部の鍵盤部に対応する。
２．欄外「１−１」等は、１小節目の一拍目を指す。
３．手のイラストより下に伸びる直線は、指使いを意味する。
４．丸の中の文字は、階名である。
５．音域を表すＣ４の文字は、英語の音名（Ｃ，Ｄ，Ｅ，Ｆ，Ｇ，Ａ，Ｂ）と、高さを表す数字の組合せにより、絶対的な音程を表している。
【図１】
2005128461.tif 000003
【図２】
2005128461.tif 000004
【図３】
2005128461.tif 000005
(57)【要約】      （修正有）【課題】軽くて容易な加工のワンタッチ式のノ−ズパッドを提供する。【解決手段】ノ−ズパッド１の金属の突設部２に設けた凹部を、パッドアーム７の端部に連結されているところの内側に突起を設けたコ字状の嵌合部５に嵌み込んで抜けの防止を可能とした取り付けのワンタッチ式のノ−ズパッド１において、前記ノーズパッドの突設部２に前記凹部を設けないで貫通孔６を設け，前記突設部２も合成プラスチックスで一体成型にて形成した。【選択図】図１
2005128465.tif 000002
【特許請求の範囲】
【請求項１】
ノ−ズパッド１の芯金の突設部２に設けた凹部３を、内側に突起４を設けたコ字状の嵌合部５に嵌め込んで抜けを防止して取り付けするワンタッチ式のノ−ズパッド１において、前記ノ−ズパッドの凸部２に前記窪み３を設けないで貫通孔６を設けたワンタッチ式のノ−ズパッド．
【請求項２】
前記凹部３を設けた突設部２が合成プラスチックスである請求項１記載のワンタッチ式のノ−ズパッド．
【発明の詳細な説明】
【発明の詳細な説明】
【産業上の利用分野】
【０００１】本発明は、眼鏡枠のノ−ズパッドに関するものである．
【背景技術】
【０００２】従来、ねじを使わないで挟み込んで止めるワンタッチ式のノ−ズパッドは、ノ−ズパッドの突設部に設けた凹部を、内側に突起を設けたコ字状の嵌合部に嵌め込んで抜けを防止してノ−ズパッドを取り付けする構造があった．
【発明が解決しようとする課題】
【０００３】  しかしながら、上記従来のワンタッチ式の挟み込んで嵌着するノ−ズパッドは、ノ−ズパッドの金属の芯金が重く、軽さを追求している今日の眼鏡枠には不向きであった．
さらに、ノ−ズパッドに埋設される金属の芯金と突設部は通常鋳造にて一体成型されており、超軽量のチタンの素材を鋳造にて製造することは技術的とコスト的に大変に困難であった．また上記金属の芯金（蝶芯）には模様やロゴマ−ク等がつき、鋳造ではあまりきれいに表示ができなく、きれいな表示が可能であるプレス加工では突設部の凹部の窪み加工が比較的面倒であった．
本発明は、軽くて容易な加工のワンタッチ式のノ−ズパッドを提供する．
【課題を解決するための手段】
【０００４】  請求項１記載の発明は、ノ−ズパッド１の金属の突設部２に設けた凹部３を、パッドア−ム７の端部に連結されているところの内側に突起４を設けたコ字状の嵌合部５に嵌み込んで抜けの防止を可能とした取り付けのワンタッチ式のノ−ズパッド１において、前記ノ−ズパッドの突設部２に前記凹部３を設けないで貫通孔６を設けたワンタッチ式のノ−ズパッドである．
請求項２記載の発明は、前記突設部２も合成プラスチックスで一体成型にて形成されたオ−ル合成プラスチックスのノ−ズパッドである．
【作用】
【０００５】  請求項１記載の発明によれば、前記ノ−ズパッドの突設部２に貫通孔６を設けてるので、ノ−ズパッドの全体の重さが非常に軽くなる．
請求項２記載の発明によれば、上記作用に加えて、前記突設部２も合成プラスチックスで一体成型にて形成されているノ−ズパッドなので、超軽量と超安価を同時に実現されている．
【実施例】
【０００６】  図１は本発明の第１実施例の分解斜視図であり、ノ−ズパッド１の金属の突設部２に設けた凹部３を、図３に示すように内側に突起４を設けたコ字状の嵌合部５に嵌め込んで抜けを防止して取り付けするワンタッチ式のノ−ズパッド１において、前記ノ−ズパッドの突設部２に凹部３を設けないで貫通孔６を設けたワンタッチ式のノ−ズパッドである．
以上のような構造なので、貫通孔６の部分の金属がなくなりノ−ズパッドの全体の重さが軽くなる．
図２は本発明の第２実施例の分解斜視図であり、前記突設部２も合成プラスチックスで一体成型にて形成された全部合成プラスチックスのノ−ズパッドである．
以上のような構造なので、上記効果に加えて、オ−ル合成プラスチックスで一体成型にて形成されているノ−ズパッドなので、超軽量と超安価の両方を実現する．
【発明の効果】
【０００７】  請求項１記載の発明によれば、金属の芯金の突設部２の貫通孔６の部分の金属がなくなり、チタン素材をプレス加工にて製造すれば、さらなる軽量化が可能となる効果が得られる．
請求項２記載の発明によれば、オ−ル合成プラスチックスで一体成型にて形成されているノ−ズパッドなので、超軽量と超安価の両方を同時に可能とするする効果が得られる．
【図面の簡単な説明】
【図１】この図は、本発明の第１実施例の斜視図である．
【図２】この図は、本発明の第２実施例の斜視図である．
【図３】この図は、本発明の実施例の嵌め込み斜視図である．
【図４】この図は、従来の凹部３を設けたノ−ズパッドの斜視図である．
【符号の説明】
１．ノ−ズパッド    ２．突設部    ３．凹部    ４．突起
５．嵌合部    ６．貫通孔    ７．パッドア−厶    ８．芯金
【図１】
2005128465.tif 000003
【図２】
2005128465.tif 000004
【図３】
2005128465.tif 000005
【図４】
2005128465.tif 000006
(57)【要約】【課題】カプセル型内視鏡の体内位置を正確に検出する事は、患者に対する施術の負担を軽減し、画像撮影の過不足を解消するために重要である。従来は、カプセルからの電磁波を強度から位置検出を行っていたが、位置精度に問題があった。【解決手段】カプセルに組み込まれた赤外線発光器からの光を体外に設置した複数台の赤外線カメラで撮影し、立体画像として得た情報からカプセルの位置を特定する。【選択図】図１
2005304998.tif 000002
【特許請求の範囲】
【請求項１】
カプセル型内視鏡において、赤外線発光素子を内蔵し、人体外に設置されたCCDカメラによって受光されることを特徴とするカプセル型内視鏡の体内位置の検出方法
【請求項２】
必要に応じて発光するように、外部からトリガーを印加することを特徴とする請求項１記載のカプセル型内視鏡の体内位置の検出方法
【請求項３】
あらかじめ設定された周期により間歇的に発光することを特徴とする請求項１記載のカプセル型内視鏡の体内位置検出方法
【発明の詳細な説明】
【技術分野】
【０００１】
カプセル型内視鏡に関する発明であって、更に言えばカプセルが現在体内のどの位置に存在しているかをリアルタイムにかつ正確に検出する方法に関する発明である。
【背景技術】
【０００２】
カプセル型内視鏡は、現在いくつかの方式が公表されているが、それらの体内位置検出に関しては、いずれもカプセルから送信される信号用の電磁波を利用してその強度からカプセル位置を推定しようとするものである。カプセル型内視鏡は、従来のワイヤ型内視鏡に比べ、より人体深部の観察を目的とすることは当然である。代表的には、小腸、大腸等である。
【発明の開示】
【発明が解決しようとする課題】
【０００３】
まず何のためにカプセルの位置検出が必要であるかその必要性から検討する。
一般に言われているのは、
イ）体内にカプセルが存在しているかどうか、既に体外に排泄されたかどうかの確認。
ロ）現在観察中の部位の特定
等である。
【０００４】
に関しては、正確な位置の検出は必要なく体内に存在するかどうかがわかればよい。
に関しては、例えば画像の観察から病原部位が発見された時に、後刻手術等により施術する場合に、その位置を特定することが必要であり位置精度が高い程、患者に与える負担が軽減される。
【０００５】
ところで、送信源からの電磁波によりその送信位置を検出する場合、電磁波の波長によりその精度が決定されることは、よく知られている。つまり波長程度の誤差を伴うことは止むを得ないと考えられる。
カプセルからの電磁波は、画像等のデータを送信するために使用するのであるが、カプセル内に送信機を組み込む制約があり、送信電力を大きくすることは困難である。
【０００６】
また、周波数を高くすると人体による電磁波の吸収が大きくなり、体外で受信することが困難になる。これらの理由から、送信用の電磁波の周波数は5GHz程度が上限と考えられる。
仮に5GHzとすると、波長は60ｍｍとなる。従って位置検出の精度はおよそ60ｍｍ程度となる。場合によっては更に低い周波数の電磁波を使用せざるを得ない事もある。
この値は、病原部位の位置精度としては十分とはいえない。
本発明は、これらの問題を解決し、カプセル型内視鏡の性能向上に寄与するものである。
【課題を解決するための手段】
【０００７】
最近の研究によれば、従来のX線に代わり、赤外線を使用してのCT装置（コンピュータによる断層撮影装置）の研究が進んでいる。ある特定の波長を使用すると、人体を効率よく透過することがわかっている。人体が赤外線を吸収する場合には、主として水分と血液の成分であるヘモグロビンと考えられている。これらはそれぞれ吸収する赤外線の波長が異なるため、双方に対して吸収の少ない波長が選ばれる。候補として800nm〜1000nm程度が上がっている。CT装置の場合には、赤外線を体外から照射し人体を透過して体外で受光するのであるが、本発明では、カプセル内に赤外線発行LEDを組み込み、体外で受光することになる。
【０００８】
受光部としては、赤外線用のCCDカメラを使用することにより、画像情報として位置検出を行うことができる。CCDカメラを複数台使用すれば、立体画像としてカプセルの位置を３次元情報として捉えることが可能である。
この場合の位置検出の精度は、ほとんどCCDカメラの精度によって決定される。
つまり、CCDの画素数により、撮影範囲を分割した精度である。例えば、撮影範囲を300×300ｍｍ、CCDの画素数を300×300画素とすると、1ｍｍの位置精度が得られる。
【０００９】
更に、実際の動作においては、消費電力を低減するために、赤外線LEDの発光を間歇的に行うことが有効である。
例えば発光を１秒間に一回とし、その発光時間を１ｍＳとすると、連続発光に比較して平均消費電力は1/1000となる。
また、外部からのトリガーにより任意のタイミングで発光することも有効である。
当然のことながら、撮影頻度を幾通りか用意をしておいて、必要に応じて選択して発光させることも可能である。
【発明の効果】
【００１０】
本発明によれば次のような効果がある。
カプセル型内視鏡の体内位置を正確に検出する事により、現在のカプセルの存在する器官のどの部位であるかが分かる。これは画像の内容を分析する事により一層精度が高まる。結果として施術の位置が確定でき、患者の負担が軽減する。また、一定時間ごとの移動量を知る事により、カプセルの移動速度がわかる。その結果として、画像撮影のタイミングを決定する事が出来る。つまり一定量移動するごとに画像を撮影し、器官によってカプセルの移動速度が異なる事による画像の撮影密度のばらつきを抑える事ができる。ここでいう画像撮影とは、動画ではなく、静止画として１こま単位の撮影である。
【発明を実施するための最良の形態】
【００１１】
図１は人体の胴体部分を輪切りにした状態を示す図である。
説明の簡単のために、赤外線カメラは2台使用するものとする。これを体内のカプセルに対して立体画像が得られる位置に固定する。
【実施例１】
【００１２】
カプセル４は小腸の内部にあるものとし、これから赤外線が発光され、赤外線CCDカメラ2および3によって撮影される。
カプセル４からの赤外光は、カメラ２および３の画面で、撮影範囲内の位置に応じた角度で撮影され、カプセルの位置はカメラの位置との相対関係において解析される。カメラ２に対しては、カプセル４からの中心線６によってその角度が示される。カメラ３に対しても同様である。
これは紙面に対して上下方向においても同じであり、カプセルの位置は３次元データとして得られる。カメラはジャケット等に固定し身体に密着して着用することにより目的を達することができる。
【図面の簡単な説明】
【００１３】
【図１】胴体を輪切りにした状態
【符号の説明】
【００１４】
１：胴体
２：カメラ
３：カメラ
４：カプセル位置
５：撮影範囲
６：カプセルからの撮影中心線
【図１】
2005304998.tif 000003
(57)【要約】【課題】  手術室全体の設備費が小さく抑えられ、手術野などの局所部に清浄空間が形成できる手術用照明装置を提供することである。【解決手段】  手術用照明装置１は、手術室２の天井３から吊下アーム８によって吊り下げられた照明灯９に空調装置４を内蔵し、該空調装置４は照明灯９上面の吸込口１０に設置したファン１１と、照明灯９下面の吹出口１２に設置したフィルタ１３とからなり、吸込口１０から吸い込んだ空気を吹出口１２から手術野１５に吹き出すものである。【選択図】図１
2005304906.tif 000002
【特許請求の範囲】
【請求項１】
手術室の天井から吊下アームによって吊り下げられた照明灯に空調装置を内蔵し、該空調装置は照明灯上面の吸込口に設置したファンと、照明灯下面の吹出口に設置したフィルタとからなり、吸込口から吸い込んだ空気を吹出口から手術野に吹き出すことを特徴とする手術用照明装置。
【請求項２】
照明灯下面には、吹出口からの清浄空気の吹出量を調整する吹出調整装置を設置したことを特徴とする請求項１に記載の手術用照明装置。
【発明の詳細な説明】
【技術分野】
【０００１】
本発明は手術用照明装置に関するものである。
【背景技術】
【０００２】
従来の手術室は、図４の（１）に示すように、手術中の感染を防ぐために、手術室１７の天井１８全面にヘパフィルタ１９を設置して、空気清浄度を保持する垂直層流方式のクリーンルームが主流であり、ここにおいては通常の手術用照明装置２０が使用されていた。また、その他の手術用照明装置としては、例えば特開２００１−１４３５２２号の発明が知られている。
【特許文献１】特開２００１−１４３５２２号公報
【発明の開示】
【発明が解決しようとする課題】
【０００３】
しかし、上記の手術室は全体をクリーンにするため循環風量を大きくしていた。そのため、ヘパフィルターの設置面積やその交換費用、およびファンの動力も大きくなるため設備費が大きくなっていた。また図４の（２）に示すように、手術野２１の層流が手術用照明装置２０で乱されて空気の滞留２２が起こるため、手術野２１の清浄度が低下するという問題があった。
【０００４】
本発明は、上記のような問題に鑑みてなされたものであり、その目的は、手術室全体の設備費を小さく抑えられ、手術野などの局所部に清浄空間が形成できる手術用照明装置を提供することである。
【課題を解決するための手段】
【０００５】
以上の課題を解決するための手術用照明装置は、手術室の天井から吊下アームによって吊り下げられた照明灯に空調装置を内蔵し、該空調装置は照明灯上面の吸込口に設置したファンと、照明灯下面の吹出口に設置したフィルタとからなり、吸込口から吸い込んだ空気を吹出口から手術野に吹き出すことを特徴とする。照明灯下面には、吹出口からの清浄空気の吹出量を調整する吹出調整装置を設置したことを含むものである。
【発明の効果】
【０００６】
手術野の近傍に清浄空気の吹出口があり、この吹出口が常に手術野を向いているため、手術野の清浄度の確実性が上がる。手術室全体の清浄度が落とせるので、室全体の容量を低減することができ、空調装置およびヘパフィルタのランニングコストの低減を図ることができる。また吹出調整装置により、清浄空気の吹出量を状況に応じて調整することができる。
【発明を実施するための最良の形態】
【０００７】
以下、本発明の手術用照明装置の実施の形態を図面に基づいて説明する。図１は、本発明の手術用照明装置１を設置した手術室２を示したものである。この手術室２の天井３の所定箇所、すなわち手術用照明装置１の設置箇所以外の吹出口５からヘパフィルタ１３を介して清浄空気６が吹き出されている。
【０００８】
この手術室２の手術用照明装置１は、手術台７の上部の天井３に設置された吊下アーム８と、この吊下アーム８に取り付けられた照明灯９とから構成され、この照明灯９の中央部に空調装置４が内蔵されている。この空調装置４は照明灯上面の吸込口１０に設置したファン１１と、照明灯下面の吹出口１２に設置したヘパフィルタ１３とからなり、吸込口１０から吸い込んだ空気をヘパフィルタ１３で清浄空気６にして吹出口１２から吹き出すようになっている。
【０００９】
また照明灯下面には、吹出口５からの清浄空気６の吹出量を調整する吹出調整装置１６が設置され、これでファン１１の回転数を変化させることにより、状況に応じて清浄空気６の吹出量を調整するものである。
【００１０】
このように吹出口１２の周囲にはランプ１４が設置されているため、手術野１５を照らしているときには、常時そこに清浄空気６が吹き付けられているので、局所的に清浄な空間を作ることができるとともに、手術野１５の層流が手術用照明装置１で乱されて空気の滞留を起こすことがない。また、空調装置１を照明灯９に設置したため、手術室２の空調装置４を小さくして設備費の低減を図ることもできる。
【００１１】
なお、照明灯９に設置した空調装置４は中央部の設置や一つに限らず、中央部の他に箇所に複数設置することもできる。
【図面の簡単な説明】
【００１２】
【図１】手術用照明装置を設置した手術室の断面図である。
【図２】照明灯の断面図である。
【図３】清浄空気の流れを示した手術室の斜視図である。
【図４】従来の手術室であり、（１）断面図、（２）は清浄空気の流れを示した斜視図である。
【符号の説明】
【００１３】
１、２０  手術用照明装置
２、１７  手術室
３、１８  天井
４  空調装置
５  吹出口
６  清浄空気
７  手術台
８  吊下アーム
９  照明灯
１０  吸込口
１１  ファン
１２  吹出口
１３、１９  ヘパフィルタ
１４  ランプ
１５、２１  手術野
１６  吹出調整装置
２２  滞留
【図１】
2005304906.tif 000003
【図２】
2005304906.tif 000004
【図３】
2005304906.tif 000005
【図４】
2005304906.tif 000006
(57)【要約】【課題】従来、ノルディックスキーには、進行方向と逆の方向にスキーが滑らないようにするため、進行方向に向かって真横に凹溝が設けられていたが、これにより、スキーの逆進は防げるが、スキーの横流れを防ぐことができなかったため、スキーがハの字形等に広がり、転倒しやすかった。【解決手段】スキーの滑走面にうろこ状凹溝を設けることにより、進行方向とは逆の方向への抵抗を多くしてスキーの逆進を防止しつつ、進行方向から斜め後ろ向きにうろこ状凹溝を配列して、進行方向に向かって横方向の抵抗を多くして、スキーの横流れを防止し、また、この斜めのうろこ状凹溝配列により、雪面の凸部に対して、うろこ状凹溝が斜角に接するため、進行方向への抵抗が少なく滑らかに走行することができ、転倒事故を防止することができる。【選択図】図１
2005304768.tif 000002
【特許請求の範囲】
【請求項１】
ノルディックスキーの滑走面（接雪面）に進行方向に沿った中心線上に設けられた凹溝の左右に、スキーの中心線を基準にして左右対称に、スキーのトップからテール方向に斜め後ろ向きにうろこ状の凹溝を設け、凹溝の深さをスキーのトップ側を深くし、テール側に行くに従って少しずつ浅くして、テール側の溝の終端の深さが滑走面（接雪面）と同一になる凹溝を設け、進行方向（トップ方向）と逆方向にスキーが滑りにくくするだけでなく、雪面の凸部に対して、うろこ状の溝が斜角に接するため滑走に抵抗が少なく滑らかに走行させることができると同時にスキーの横流れ防止にもなり、初めての人でもクロスカントリーを楽しむことができるノルディックスキーの横流れ防止用うろこ状凹溝。
【発明の詳細な説明】
【技術分野】
【０００１】
この発明は、ノルディックスキーを安全に楽しむためのものであり、スキーの横流れによる転倒事故を未然に防ぐためのものである。
【背景技術】
【０００２】
従来、ノルディックスキーには、進行方向とは逆の方向にスキーが滑らないようにするため、進行方向に向かって真横に凹溝を設けていた。
【発明の開示】
【発明が解決しようとする課題】
【０００３】
従来のノルディックスキー用の凹溝は、進行方向とは逆の方向にスキーが滑らないようにするため、進行方向に向かって真横に凹溝を設けて、スキーの逆進方向への抵抗が増えて後戻りは防げるが、スキーの横流れを防ぐことができなかったため、スキーがハの字形等横に広がり、転倒しやすかった。
【課題を解決するための手段】
【０００４】
うろこ状凹溝により、進行方向とは逆の方向への抵抗を多くして、スキーの逆進を防止しつつ、進行方向に向かって真横にではなく、斜め後ろ向きにうろこ状凹溝を配列して、進行方向に向かって横方向の抵抗を多くして、スキーの横流れを防止し、また、斜め後ろ向きにうろこ状凹溝を配列することにより、雪面の凸部に対して、うろこ状凹溝が斜角に接するため、進行方向への抵抗が少なく滑らかに走行することができる。
【発明の効果】
【０００５】
斜面を滑り降りるときに進行方向への抵抗が最小限で、かつ、平坦な雪面を前進するとき及び雪面を登るときに進行方向と逆の方向への抵抗が多いことがノルディックスキーに要求されるところ、うろこ状凹溝は、この要求を充足し、さらに、スキーの横流れを防止して、転倒事故を防止することができる。
【実施例】
【０００６】
図１から図５に示す実施例に従って、本発明の実施態様を詳述する。スキーの滑走面（接雪面）１に、スキー靴による雪面への荷重付加部分Ｃを中心に、スキーの進行方向Ｂ及びその逆方向の一定の範囲にガラス繊維で補強したプラスティックシートを貼り付ける。このプラスティックシートに、スキーの滑走面（接雪面）１の中心線２の左右に、スキーの進行方向Ｂから斜め後方に線対称状に、うろこ状凹溝３を設ける。うろこ状凹溝３を斜め角度に配列することにより、うろこ状凹溝の数を増やすことができる。このうろこ状凹溝３の形状を、スキーのトップ側を直線にし、テール側を曲線にして設け、溝の深さをスキーのトップ側を深くして、テール側に行くに従って少しずつ浅くして設け、テール側の溝の終端の深さを滑走面（接雪面）と同一にする。
【図面の簡単な説明】
【０００７】
【図１】本発明のうろこ状凹溝を貼り付けたスキーの滑走面（接雪面）の全体図。
【図２】本発明のうろこ状凹溝の配列の拡大図。
【図３】本発明のうろこ状凹溝を貼り付けたスキーの斜め後方断面図。
【図４】本発明のうろこ状凹溝の拡大図。
【図５】本発明のうろこ状凹溝の断面図。
【符号の説明】
【０００８】
Ａ  スキーの滑走面の全体
Ｂ  スキーの進行方向
Ｃ  スキー靴による荷重付加部分
ＡＬ  うろこ状凹溝を設けたガラス繊維で補強したプラスティックシートの貼付面
１  スキーの滑走面
２  スキーの滑走面に設けられた直進性を得るための凹溝
３  うろこ状凹溝
ップ側を直線にし、テール側を曲線にして設け、溝の深さをスキーのトップ側を深くして、テール側に行くに従って少しずつ浅くして設け、テール側の溝の終端の深さを滑走面（接雪面）と同一にする。
【図１】
2005304768.tif 000003
【図２】
2005304768.tif 000004
【図３】
2005304768.tif 000005
【図４】
2005304768.tif 000006
【図５】
2005304768.tif 000007
(57)【要約】      （修正有）【課題】魚が食いつく音を出すルアーを提供する。【解決手段】どのような音でも出すことができるようにＩＣを利用した。ＩＣ再生回路5に傷ついた魚の泣き声を書き込み,スピーカー6で忠実な音を再生し得る仕組みをルアーに封入した。【選択図】図１
2005304465.tif 000002
【特許請求の範囲】
【請求項１】
ＩＣに記憶された魚を引きつける精密な音を再生しスピーカー等でその音を発生させる回路を内蔵したことを特徴としたルアー。
【請求項２】
上記のＩＣ回路の電源のＯＮ−ＯＦＦはルアーが密閉されるためＣｄｓにより光の量で制御させることを特徴としている。ルアーをケースに入れ暗くすると電源はＯＦＦとなる。また、使用中は明るいのてＯＮとなる
【請求項３】
電源バッテリーへの充電用端子はルアーの外に引き出し防水されるがこのままでは水中で放電してしまうのでこの放電を防ぐための逆流防止ダイオードが設けられている。
【発明の詳細な説明】
【技術分野】
【０００１】この発明は電子音を発生する釣りのルアーに関するもの。
［背景技術］【０００２】従来の釣り用ルアーは、本体内で玉を転がせたり後部でプロペラを回転させることで魚を引きつける音を出していた。
［発明の開示］
［発明が解決しようとする課題］【０００３】しかしながら、以上の技術によれば単にルアーの位置を魚に知らせるだけに過ぎない。本来ルアーは魚を食いつかせるためのもので本発明は、魚が食いつく音を出すルアーを提供することを課題としている。
［課題を解決するための手段］【０００４】以上の課題を解決するために、第一発明は魚を食いつかせる音を忠実に再現させるためのＩＣ回路をルアーに封じ込めた。また、第二発明はルアーの防水を考慮して電源スイッチの代わりにうごきのないＣｄｓを使って光の量で電源のＯＮ−ＯＦＦをした。第三発明はルアーの電源バッテリーへエネルギーの補充をするために充電用の回路の端子を外に引き出し防水した。
しかし、このままだと放電してしまうので逆流防止ダイオードを取りつけた。
［発明の効果］【０００５】第一発明によりルアーに魚を食いつかせるための音をＩＣに書き込み忠実に再現させた。また、第二、第三の発明はこの回路の防水のための考慮である。
［発明を実施するための最良の形態］【０００６】この発明の実施形態を、図１に示す。
ルアーの本体は１  フックは２  電源スイッチ用Ｃｄｓ３このＣｄｓに光を受けるとＩＣ再生回路５  に電源が入りＩＣに書き込まれた（傷ついた魚の泣き声）音を忠実に再生する。断続した繰り返し音をスピーカー６  で発生させる。
電源バッテリー４  マイス端子共用シャフト７  充電用プラス端子８  この両方の端子からバッテリーの充電を行う。また、逆流防止ダイオードはＩＣ回路の中にあり放電を防ぐ。
［実施形態の効果］【０００７】この実施形態によれば忠実に餌となる傷ついた魚の泣き声をＩＣにより容易に再生することができる。本来、陸上の動物でも同じだが捕食動物は年老いたもの、若くて弱いもの、また、怪我をしたものを選んで捕食している。何故なら捕食中に自らが傷を負い反対に捕食される側になりかねないからである。水の中も野生の摂理は同じである。よって、傷ついた魚の鳴き声を忠実に発するルアーに捕食魚は反射的なスピードで食いつくのである。
［他の実施形態］【０００８】図１の実施形態ではＩＣ再生回路５  等を防水し保護するために発明第二や発明第三により動くところを無くした。
切り替えスイッチが完全に防水できればＩＣに数種の音をかきこみルアーの外から切り替えて違った魚の泣き声を試すこができるし電源スイッチも外から操作することができる。
【図面の簡単な説明】
【０００９】［図１］この発明の実施形態を示す側面図である。
【符号の説明】
【００１０】１ルアー本体  ２フック  ３Ｃｄｓ  ４電源バッテリー  ５ＩＣ再生回路  ６スピーカー  ７シャフト（マイナス）  ８プラス端子
【図１】
2005304465.tif 000003
(57)【要約】      （修正有）【課題】一口サイズに切り込みの入った取り扱いやすく、食べやすいお好み焼きの提供。【解決手段】直径１４センチ、厚さ２センチのお好み焼きに３センチの切り込みを入れて生、または冷凍お好み焼きをつくる。いつでも、どこでも温めるだけで、つま楊枝で簡単に切り分けて食べることができる。【選択図】なし【特許請求の範囲】
（イ）小麦粉キャベツの混合のねりものをつくる
（ロ）混合物ねり物を焼く
（ハ）一般にお好み焼きとゆう
【発明の詳細な説明】
2005304469.tif 000002
【発明詳細の説明】
（１）生味付普通一口サイズ
（イ）長径１４センチ厚み約２センチのお好み焼きにソース、ホワイトソースを混合してぬりその上からかつをの粉のりをかける
（ロ）味付されたお好み焼きに前後左右に３センチの切り込みを入れて生普通サイズ一口サイズお好み焼きとする
（２）冷凍味付ミニ一口サイズ
（イ）長径１０センチ厚み約２センチのお好み焼きにソース、ホワイトソースを混合してぬりその上よりかつをの粉のりをかけ２．５ミリの一口サイズにして１８０°以下の冷凍保存とする
食する時従来の切り込みの入っていない生お好焼きは切り込みが入っていない為はし、スプーなどで引っぱるようにして食するためだんごになってしまい食する場合も制限されるがソースかつをなどの調味料が掛っている生切り込み一口サイズになっていることによってコンビニヤ子供も電子レンヂですぐ温めてつま楊枝で何日でも何処でも食することが出来切り込みが入っていることでまんべんなく速く温まり直冷凍味付ミニ一口サイズもミニとゆうことて簡単に保存が出来使いわけも楽で持ち運びも簡単冷凍味付のままミニなので郊外のレヂャーなどにも持ってゆきアルミホイルなどですぐ温めることが出来る
2005304469.tif 000003
【図１】
2005304469.tif 000004
【図２】
2005304469.tif 000005
【図３】
2005304469.tif 000006
【図４】
2005304469.tif 000007
【図１】
2005304469.tif 000008
【図２】
2005304469.tif 000009
【図３】
2005304469.tif 000010
【図４】
2005304469.tif 000011
【手続補正書】
【提出日】平成16年9月20日(2004.9.20)
【手続補正１】
【補正対象書類名】明細書
【補正対象項目名】全文
【補正方法】変更
【補正の内容】
【発明の詳細な説明】
【技術分野】
【０００１】（１）生味付普通一口サイズ
（イ）長径１４センチ厚み約２センチのお好み焼きにソース、ホワイトソースを混合してぬりその上からかつをの粉のりをかける
（ロ）味付されたお好み焼きに前後左右に３センチの切り込みを入れて生普通サイズ一口サイズお好み焼きとする
（２）冷凍味付ミニ一口サイズ
（イ）長径１０センチ厚み約２センチのお好み焼きにソース、ホワイトソースを混合してぬりその上よりかつをの粉のりをかけ２．５ミリの一口サイズにして１８０°以下の冷凍保存する
食する時従来の切り込みの入っていない生お好み焼きは切り込みが入っていない為はし、スプーンなどで引っぱるようにして食するためだんごになってしまい食する場合も制限されるがソースかつをなどの調味料が掛っている生切り込み一口サイズになっていることによってコンビニヤ子供も電子レンヂですぐ温めてつま楊枝で何日でも何処でも食することが出来切り込みが入っていることでまんべんなく速く温まり直冷凍味付ミニ一口サイズもミニとゆうことで簡単に保存が出来使いわけも楽で持ち運びも簡単冷凍味付のままミニなので郊外のレヂャーなどにも持ってゆきアルミホイルなどですぐ温めることが出来る
【図面の簡単な説明】
【０００２】
【図１】本発明の断面図である
【図２】図１の測面図である
【図３】生味付一口サイズ、切り込みを入れた断面図である
【図４】一口の切り込みがひし形になる
【図５】本発明の断面図である
【図６】図１の測面図である
【図７】冷凍味付ミニ一口サイズの切り込みを入れた断面図である
【図８】一口の切り込みがひし形になる
【符号の説明】
【０００３】（１）長径１４センチ厚み約２センチのお好み焼きソース、ホワイトソースを混合してぬりその上よりかつを粉のりをかける
（２）味付されたお好み焼きに前後左右に３センチの切り込みを入れて生普通サイズ一口お好み焼きとする
（３）長径１センチ厚み約２センチのお好み焼きにソース、ホワイトソースを混合してぬりその上よりかつを粉のりをかけて２．５ミリの一口サイズに切り１８０°以下の冷凍保存する
【手続補正２】
【補正対象書類名】図面
【補正対象項目名】全図
【補正方法】変更
【補正の内容】
【図１】
2005304469.tif 000012
【図２】
2005304469.tif 000013
【図３】
2005304469.tif 000014
【図４】
2005304469.tif 000015
【図５】
2005304469.tif 000016
【図６】
2005304469.tif 000017
【図７】
2005304469.tif 000018
【図８】
2005304469.tif 000019